(57)【特許請求の範囲】
【請求項１】
合成繊維フィラメントから構成された織物の少なくとも片面に、２０ｇ／ｍ２以下のシリコーン樹脂が塗布されてなるエアバッグ用コーティング基布において、コーティングされた基布の経クリンプ率が緯クリンプ率より小さく、経クリンプ率が４％以下、緯クリンプ率と経クリンプ率の差が０．８〜３．０％であり、コーティング基布の１００ｋＰａ差圧下での通気度が０．０２Ｌ／ｃｍ２／ｍｉｎ以下であることを特徴とするエアバッグ用コーティング基布。
【請求項２】
合成繊維フィラメントから構成された織物の少なくとも片面に、２０ｇ／ｍ２以下のシリコーン樹脂が塗布されてなるエアバッグ用コーティング基布において、コーティング前のベース基布の経糸方向の織密度が緯糸方向の織密度に対して２％以上小さく、経クリンプ率が緯クリンプ率より小さく、経クリンプ率が４％以下であり、コーティング基布の１００ｋＰａ差圧下での通気度が０．０２Ｌ／ｃｍ２／ｍｉｎ以下であることを特徴とするエアバッグ用コーティング基布。
【請求項３】
織物を構成するフィラメントの総繊度が、２００〜４７０ｄｔｅｘである請求項１または２に記載のエアバッグ用コーティング基布。
【請求項４】
織物のカバーファクターが、１，８００〜２，５００である請求項１〜３のいずれか１項に記載のエアバッグ用コーティング基布。
【請求項５】
製織時の基布の経糸テンションが０．１６ｃＮ／ｄｔｅｘ以上０．４０ｃＮ／ｄｔｅｘ以下であることを特徴とする請求項１〜４のいずれか１項に記載のエアバッグ用コーティング基布の製造方法。
【請求項６】
請求項１〜４のいずれかに記載のエアバッグ用コーティング基布の製造方法であって、樹脂の塗布方法がナイフコート方式であり、使用するナイフの先端半径が０．５ｍｍ以下であり、ナイフコーティング時における織物の長さ方向の張力が０．０８ｃＮ／ｄｔｅｘ以下である事を特徴とするエアバッグ用コーティング基布の製造方法。
【発明の詳細な説明】
【技術分野】
【０００１】  本発明は、自動車用エアバッグに用いるコーティング基布に関し、詳しくは、織物に付着させるコート量を少なくしても、低通気度を実現するエアバッグ用コーティング基布に関する。
【背景技術】
【０００２】  近年、自動車安全部品の一つとして急速に装着率が向上しているエアバッグは、自動車の衝突事故の際、衝撃をセンサーが感知し、インフレーターから高温、高圧のガスを発生させ、このガスによってエアバッグを急激に展開させて、運転者や同乗者の身体、特に頭部がハンドル、フロントガラス、ドアガラス等に衝突することを防止し保護する目的で使用される。近年、自動車用エアバッグは、運転席、助手席用のみならず、ニーエアバッグ、サイドエアバッグ、カーテンエアバッグ等の実用化が進み、複数のエアバッグが装着されることが一般的となっている。【０００３】  搭載されるエアバッグの部位、数量が増えるにつれ、エアバッグシステムの更なる軽量化、コンパクト化の要求が高まり、システムの各部品は小型化、軽量化を目指して設計されてきている。このような背景から、エアバッグについては細繊度糸を使用した基布を用いる方策、あるいはコーティング織物のエラストマーの種類、塗布量を低減する方策が検討されてきた。【０００４】  例えば、エアバッグ用コーティング基布に使用するフィラメントの繊度は、９４０ｄｔｅｘから４７０ｄｔｅｘへと細くなり、近年では繊度が３５０ｄｔｅｘのフィラメントを用いた基布へと変更されている。【０００５】  また、エアバッグ用コーティング基布に塗布されるエラストマー樹脂についても、クロロプレンからシリコーン樹脂に変更されてきている。また、その塗布量も９０〜１２０ｇ／ｍ２から４０〜６０ｇ／ｍ２に変更され、近年では２５〜４０ｇ／ｍ２にまで低減されてきた。これらの手段により収納性の点ではかなり向上したものの満足出来るレベルではなく、更なる塗布量の低減による収納性改善、軽量化が要望されている。【０００６】  一方で、とりわけ内圧保持性が要求されるサイドエアバッグ、カーテンエアバッグ、ニーエアバッグ等には、シリコーンなどの合成ゴムや樹脂を被覆したコーティング織物が主に使用されているが、２０ｇ／ｍ２以下に樹脂量を低減すると、表面に位置する樹脂量が極端に低減し、樹脂膜の破れが発生し易く高度な低通気性を確保するのが困難という問題を有していた。【０００７】  そこで、シリコーン樹脂の塗布量を低減したエアバッグ用コーティング基布として、エラストマー樹脂が織物を構成する織糸部１．０に対して、織物目合い部に３．０以上の膜厚比で偏在させたエアバッグが開示されている（特許文献１を参照）。  しかしながら、上記エアバッグは、収納性については改善されているものの、２０ｇ／ｍ２以下の塗布量に調整した場合、上記のように樹脂が偏在している状態では、樹脂膜の破れが発生し易く、特に内圧保持性能が要求されるエアバッグに対して低通気性を十分に満足するのは困難であった。【０００８】  また、合成繊維織物の樹脂被覆面に位置する経糸および緯糸の断面外周が該樹脂により９０％以上包囲され、樹脂の塗布量が２０ｇ／ｍ２以下であるエアバッグ用コーティング基布が開示されている（特許文献２の請求項２を参照）。  しかしながら、樹脂が含浸することにより、基布と樹脂の接着性は向上するものの、織物表面に位置する樹脂膜が薄いため、同様に樹脂膜の破れが発生し易く、特に内圧保持性能が要求されるエアバッグに対して低通気性を十分に満足するのは困難であった。
【先行技術文献】
【特許文献】
【０００９】
【特許文献１】特許第２８５３９３６号公報
【特許文献２】特開２００８−１３８３０５号公報
【発明の概要】
【発明が解決しようとする課題】
【００１０】  本発明の目的は、従来技術では解決できていない、樹脂の塗布量が２０ｇ／ｍ２以下であっても、十分な低通気性を確保するエアバッグ用コーティング基布を提供することにある。
【課題を解決するための手段】
【００１１】  本発明は、２０ｇ／ｍ２以下のシリコーン樹脂が塗布されてなるエアバッグ用コーティング基布において、コーティング前のベース基布のクリンプ率差を所定の範囲とすることで、樹脂の塗布量が少なくても高圧下（１００ｋＰａ差圧下）での通気度を小さくすることが出来る技術を提供するものである。
【発明の効果】
【００１２】  本発明のエアバッグ用コーティング基布は、薄塗りであっても低通気であるため、とりわけ高い内圧保持性能を要求されるエアバッグであっても信頼性に優れ、コンパクトに収納でき、車内デザインの制約を少なくできるという利点がある。
【図面の簡単な説明】
【００１３】
【図１】本発明に使用されるナイフコートの刃の先端形状の概略図である。
【発明を実施するための形態】
【００１４】  前記の課題を解決することができる本発明のエアバッグ用コーティング基布は、以下の構成よりなる。１．合成繊維フィラメントから構成された織物の少なくとも片面に、２０ｇ／ｍ２以下のシリコーン樹脂が塗布されてなるエアバッグ用コーティング基布において、コーティングされた基布の経クリンプ率が緯クリンプ率より小さく、経クリンプ率が４％以下、緯クリンプ率と経クリンプ率の差が０．８〜３．０％であり、コーティング基布の１００ｋＰａ差圧下での通気度が０．０２Ｌ／ｃｍ２／ｍｉｎ以下であることを特徴とするエアバッグ用コーティング基布。２．合成繊維フィラメントから構成された織物の少なくとも片面に、２０ｇ／ｍ２以下のシリコーン樹脂が塗布されてなるエアバッグ用コーティング基布において、コーティング前のベース基布の経クリンプ率が緯クリンプ率より小さく、経クリンプ率が４％以下であり、コーティング基布の１００ｋＰａ差圧下での通気度が０．０２Ｌ／ｃｍ２／ｍｉｎ以下であることを特徴とするエアバッグ用コーティング基布。３．製織時の基布の経糸テンションが０．１６ｃＮ／ｄｔｅｘ以上０．４０ｃＮ／ｄｔｅｘ以下であることを特徴とする、上記１または２のいずれかに記載のエアバッグ用コーティング基布。４．織物を構成するフィラメントの総繊度が、２００〜４７０ｄｔｅｘである上記１〜３のいずれかに記載のエアバッグ用コーティング基布。５．織物のカバーファクターが、１，８００〜２，５００である上記１〜４のいずれかに記載のエアバッグ用コーティング基布。６．上記１〜５のいずれかに記載のエアバッグ用コーティング基布の製造方法であって、樹脂の塗布方法がナイフコート方式であり、使用するナイフの先端半径が０．５ｍｍ以下であり、ナイフコーティング時における織物の長さ方向の張力が０．１０ｃＮ／ｄｔｅｘ以下である事を特徴とするエアバッグ用コーティング基布の製造方法。
【００１５】  以下本発明を詳述する。  本発明において、合成繊維フィラメントから構成された織物とは、合成繊維フィラメント糸条を用いて製織される織物を意味する。織物は、機械的強度に優れ、厚さを薄くできるという点で優れている。織物の組織は、例えば、平織、綾織、朱子織およびこれらの変化織、多軸織などが適用でき、なかでも機械的強度により優れる平織物が特に好ましい。
【００１６】  合成繊維としては、特にナイロン６６、ナイロン６、ナイロン４６、ナイロン１２等の脂肪族ポリアミド繊維、アラミド繊維のような芳香族ポリアミド繊維、ポリエチレンテレフタレート、ポリトリメチレンテレフタレートやポリブチレンテレフタレートなどのポリエステル繊維が使用される。他には、全芳香族ポリエステル繊維、ポリパラフェニン・ベンゾビス・オキサゾール繊維（ＰＢＯ繊維）、超高分子量ポリエチレン繊維、ポリフェニレンサルファイド繊維、ポリエーテルケトン繊維等が挙げられる。ただし、経済性を勘案すると、ポリエステル繊維、ポリアミド繊維が好ましく、特に好ましくはポリアミド６６である。また、これらの繊維はその一部または全部が再利用された原材料より得られるものでもよい。
【００１７】  また、これらの合成繊維には、原糸製造工程や後加工工程での工程通過性を向上させるために、各種添加剤を含有させてもよい。添加剤としては、例えば、酸化防止剤、熱安定剤、平滑剤、帯電防止剤、増粘剤、難燃剤等が挙げられる。また、この合成繊維は原着糸や製糸後染色したものでもよい。また、単糸の断面は、通常の丸断面のほか、異形断面であってもよい。合成繊維は、７２フィラメント以上のマルチフィラメント糸を用いることが、柔軟性、コート面の平滑性の点から好ましい。
【００１８】  本発明のコーティング基布は、織物の両面にコーティングされた両面コーティング基布であってもよいが、収納性の点から、片面にのみにコーティングされる片面コーティング基布がより好ましい。
【００１９】  コーティング樹脂は、耐熱性、耐寒性、難燃性を有するシリコーン系樹脂が最適である。シリコーン系樹脂の具体例としては付加重合型シリコーンゴム等が挙げられる。例えば、ジメチルシリコーンゴム、メチルビニルシリコーンゴム、メチルフェニルシリコーンゴム、トリメチルシリコーンゴム、フロロシリコーンゴム、メチルシリコーンレジン、メチルフェニルシリコーンレジン、メチルビニルシリコーンレジン、エポキシ変性シリコーンレジン、アクリル変性シリコーンレジン、ポリエステル変性シリコーンレジンなどが挙げられる。なかでも、硬化後にゴム弾性を有し、強度や伸びに優れ、コスト面でも有利な、メチルビニルシリコーンゴムが好適である。
【００２０】  シリコーン樹脂を使用する場合には、反応硬化剤を用いても良く、例えば、白金粉末、塩化白金酸、四塩化白金酸等の白金系化合物や、パラジウム化合物、ロジウム化合物、ベンゾイルパーオキサイド、パラクロルベンゾイルパーオキサイド、オルソクロロパーオキサイドなどの有機過酸化物等を用いることができる。
【００２１】  シリコーンゴムと基布との接着性を向上させるために、シリコーン樹脂に接着助剤を含有させることが好ましい。接着助剤としては、例えば、アミノ系シランカップリング剤、エポキシ変性シランカップリング剤、ビニル系シランカップリング剤、クロル系シランカップリング剤、およびメルカプト系シランカップリング剤よりなる群から選ばれる少なくとも１種以上が挙げられるが、これらに限定されるものではない。
【００２２】  シリコーンゴムに加える無機質充填剤は、従来からシリコーンゴムの補強、粘度調整、耐熱性向上、難燃性向上などを目的とする充填剤として使用されている。最も代表的な充填剤はシリカ粒子である。シリカ粒子の比表面積は、５０ｍ２／ｇ以上が好ましく、より好ましくは５０〜４００ｍ２／ｇ、特に好ましくは１００〜３００ｍ２／ｇである。該比表面積がこの範囲にあると、得られたシリコーン硬化物に優れた引裂強度特性を付与しやすい。比表面積はＢＥＴ法により測定される。シリカ粒子は、単独で用いても二種以上を併用してもよい。本発明で使用できるシリカ粒子としては、例えば、石英、水晶、珪砂、珪藻土等の天然品、乾式シリカ、シリカヒューム、湿式シリカ、シリカゲル、コロイダルシリカ等の合成品が挙げられる。
【００２３】  上記のシリカ粒子は、シリコーンゴムと添加剤を含む樹脂組成物に対してより良好な流動性を付与させやすくするため、粒子の表面を疎水化処理された疎水性シリカ粒子を使用することが好ましい。例えば、トリメチルクロロシラン、ジメチルジクロロシラン、メチルトリクロロシラン等のメチルクロロシラン類、ジメチルポリシロキサン、ヘキサメチルジシラザン、ジビニルテトラメチルジシラザン、ジメチルテトラビニルジシラザン等のヘキサオルガノジシラザンなどの有機ケイ素化合物が好ましい。
【００２４】  シリカ粒子の含有量は、全シリコーン樹脂に対して１０〜２０質量％が好ましく、より好ましくは１２〜２０質量％である。シリカ粒子の含有量が１０質量％未満の場合、シリコーンゴムの機械的強度が低下しやすくなる。一方、シリカ粒子の含有量が２０質量％を超える場合、樹脂組成物の流動性が低下しやすくなり、コーティング作業性が悪化するばかりか、樹脂が脆くなり、接着性が低減する傾向がある。
【００２５】  本発明のコーティング基布は、１００ｋＰａ差圧下での通気度が０．０２Ｌ／ｃｍ２／ｍｉｎ以下であることが必要である。通常のエアバッグの展開時には３０〜５０ｋＰａの内圧がかかるが、更にインフレータの火薬による熱の影響もあるため、布帛を標準状態で測定するときには１００ｋＰａ差圧下での通気度を議論する必要がある。より好ましくは、０．０１Ｌ／ｃｍ２／ｍｉｎ以下である。１００ｋＰａ差圧下での通気度が０．０２Ｌ／ｃｍ２／ｍｉｎより高いと、とりわけ内圧保持性能が要求されるサイドエアバッグ、カーテンエアバッグ、ニーエアバッグでは、乗員拘束性能を満足できないため好ましくない。
【００２６】  通常、樹脂の付着量を少なくすると、基布表面に存在する樹脂の膜厚も薄くなるため、例えば１００ｋＰａ差圧下のような高圧下ではコーティングされた樹脂膜が破れやすく、通気度が増大する問題点を有していた。しかしながら、塗布量が２０ｇ／ｍ２以下の少量であっても、コーティング前のベース基布のクリンプ率を所定の範囲に制御することにより、コーティング後の基布のクリンプ率が所定の範囲となることで、樹脂の低塗布量化と高圧下での通気度特性とを両立させる、従来技術では解決できていなかった新規な技術思想を本発明者らは見出したものである。具体的には、コーティング前の基布の経クリンプ率が４％以下であり、経クリンプ率が緯クリンプ率より小さく、この差が０〜３％となるベース基布であり、コーティング時の基布張力を所定の範囲とすることで、コーティング後の基布の経クリンプ率が緯クリンプ率より小さく、経クリンプ率が４％以下、緯クリンプ率と経クリンプ率の差が０．８〜３．０％であり、コーティング基布の１００ｋＰａ差圧下での通気度が０．０２Ｌ／ｃｍ２／ｍｉｎ以下であるエアバッグ用コーティング基布を提供するものである。
【００２７】  エアバッグ用のベース基布のようなカバーファクターが１８００を越えるような高密度織物を製造する場合、緯糸を多く打ち込む為に経糸のクリンプ率は緯糸のクリンプ率より大きくなることが従来知られていた。しかし本発明において、経クリンプ率が緯クリンプ率より小さく、経クリンプ率が４％以下であり、経緯クリンプ率差が０〜３％に設計する事により、コート布として樹脂の低塗布量化と高圧下での通気度特性とを両立させる方法を見出したものである。コート前の基布の経クリンプ率が緯クリンプ率より小さくし、かつ経糸クリンプ率が４％以下とする方法としては特に制限は無いが、例えばＡＪＬのように製織時に緯糸方向の張力が比較的低い織機を用い緯糸方向のクリンプ率を高める方法、製織後の精練、乾燥工程において、布走行方向におけるテンションを出来るだけ高くする方法等が考えられるが、製織時の経糸テンションを可能な範囲で高くする方法が好ましく用いられる。従来の製織時の経糸テンションとしては、カバーファクターが２０００前後においては０．１５ｃＮ／ｄｔｅｘ以下が好ましく用いられているが、本願発明では０．１６ｃＮ／ｄｔｅｘ以上、より好ましくは０．１８ｃＮ／ｄｔｅｘ、さらに好ましくは０．２０ｃＮ／ｄｔｅｘ以上が用いられる。上限は特に制限しないが、高すぎると糸切れによる毛羽の発生がみられるため、０．４０ｃＮ／ｄｔｅｘ以下、より好ましくは０．３６ｃＮ／ｄｔｅｘ以下が好ましい。これらの方法に加え、製織時の経糸方向の織密度を緯糸方向に対して２％以上、好ましくは３％以上、より好ましくは３．５％以上小さくなるように設計することで、経方向のクリンプ率が緯方向に対して本願発明の範囲のクリンプ率になりやすく好ましい。経緯方向での織密度差は１０％を越えると基布の等方性を失うため好ましくは９％以下、より好ましくは８％以下、さらに好ましくは６％以下である。  また、基布製織時の経糸本数を減らすことにより、経糸へのテンションが係りやすくなるため、クリンプ率が本願発明範囲に入りやすくなると考えられる。
【００２８】  コーティング時においても織物の長さ方向に張力をかけるが、この張力は０．０１〜０．１０ｃＮ／ｄｔｅｘとすることが好ましい。この範囲とすることで、コーティング後の基布のクリンプ率が本願記載の範囲となり、樹脂の低塗布量化と高圧下での通気度特性とを両立することが出来る。高圧下での通気度特性を達成できる理由は定かではないが、コーティング時にかかる張力が繊維軸方向に対して垂直方向である緯糸は、コーティング時の経糸の移動に伴い、布の走行方向に緯糸のフィラメントが広がるために基布の空隙を埋める方向となり、コーティング後の基布の通気性は低く維持出来る、と考えられる。
【００２９】  コーティング前の基布の経緯クリンプ率差が３％より大きい場合、経糸が伸びきっているか緯糸のクリンプ率が大きすぎることを示し、コーティング時の経糸の移動に伴う緯糸の移動が十分に行えず、基布の空隙を埋める事ができなくなる。より好ましくは、０〜２．５％である。またコーティング前の基布における経クリンプ率を４％以下に設定する事で、ナイフによる接圧と、織物の長さ方向にかかる張力に対する基布の動きが抑制され、樹脂が織物内部へ浸透せずに基布表面を覆った形で、乾燥、硬化する事が出来る。この為に、コーティング後の基布の通気性は低く維持出来ると考えられる。経クリンプ率が４％より大きいと、コーティング前の基布自体の空隙が多く存在するため、樹脂が空隙に入り、２０ｇ／ｍ２以下の低塗布量が困難である。また、コーティング時に張力を与えても、経糸の動きが大きいため同じく空隙が生じ、２０ｇ／ｍ２以下の低塗布量は達成できても樹脂が内部に浸透しているため、基布表面を十分に覆う事が出来ない。このためコーティング後の通気性が好ましくない。
【００３０】  コーティングされた基布の経クリンプ率が緯クリンプ率より小さく、かつ、緯クリンプ率と経クリンプ率の差が０．８〜３．０％であることが必要である。このクリンプ率差を有することで、基布表面は比較的平坦になると同時に基布繊維間の空隙が低減されており、２０ｇ／ｍ２以下の低塗布量においても、コーティング基布の１００ｋＰａ差圧下での通気度が０．０２Ｌ／ｃｍ２／ｍｉｎ以下を達成できる。好ましい緯クリンプ率と経クリンプ率の差は１．０〜２．９％であり、より好ましくは１．５〜２．８％である。
【００３１】  本発明において使用されるシリコーン樹脂の粘度は１５〜６０Ｐａ・ｓｅｃが好ましく、より好ましくは２０〜５０Ｐａ・ｓｅｃである。一般的に、シリコーン樹脂の膜強伸度を高く設定する為には樹脂粘度を高くする事で達成出来るが、樹脂粘度が６０Ｐａ・ｓｅｃ以上になると２０ｇ／ｍ２以下の塗布量に調整することが困難になるという問題が生じる。一方で、樹脂粘度が１５Ｐａ・ｓｅｃ未満の場合、所望のシリコーン樹脂の膜物性が得られないばかりでなく、樹脂が織物内部に入りこむために、低通気を達成するのに必要な樹脂厚みを確保することが困難となる。上記の粘度の範囲内に調整できるのであれば、溶剤系、無溶剤系どちらでも構わないが、環境への影響を考慮すると、無溶剤系が好適である。
【００３２】  なお、本発明では、樹脂以外の添加剤を含有する樹脂組成物の場合、樹脂組成物の粘度も「樹脂の粘度」と定義する。
【００３３】  本発明において、樹脂の塗布量が２０ｇ／ｍ２以下の少ない塗布量で、低通気性を実現するコーティング基布を設計するためには、樹脂の塗布方法が重要である。  樹脂を塗布する方法としては、従来の公知の方法が用いられるが、コート量の調整の容易さや異物（突起物）混入時の影響の点から、ナイフコートが最も好ましい。本発明において、ナイフコートの際に使用されるナイフは、その刃の先端形状として、半円状、角状等が使用できる（図１を参照）。
【００３４】  ナイフコートを用いて、樹脂の塗布量を２０ｇ／ｍ２以下に低減させるためには、接圧、特に織物の長さ方向の基布張力を高めることが有効である。しかしながら、従来のナイフコートの際に従来用いられてきたナイフ刃では、先端部が半円状の場合、鋭利なものでも先端部半径（Ｒ）が０．７ｍｍ程度である。そのため、樹脂の塗布量を２０ｇ／ｍ２以下に低減させるためには、織物の長さ方向の基布張力を相当高める必要があった。その結果、経緯のクリンプ率の差が大きくなり、クリンプ率が大きい方向の樹脂膜の厚みが低減する現象が生じた。この結果、コーティング前のベース基布の経緯クリンプ率差を３．０％以上に設計しても、コーティング後の圧力緩和時に経糸方向及び緯糸方向のクリンプ率の差が大きくなり、クリンプ率が大きい方向の樹脂膜の厚みが低減する現象が生じた。この結果、コーティング前のベース基布の経クリンプ率が緯クリンプ率より小さく、経クリンプ率が４％以下であり、かつ経緯クリンプ率差を０〜３％に設計したとしても、圧力負荷時に被膜が破れるため、低い通気度を維持することが出来なかった。
【００３５】  一方、本発明では、ナイフコートを用いて、コーティング基布を製造する際に、先端部半径（Ｒ）が０．５ｍｍ未満のナイフ刃を使用することが好ましく、更に好ましくはＲが０．３ｍｍ以下のナイフ刃を用い、基布張力を低減させた条件でコーティングを行うことが好ましい。このように、従来のナイフ刃よりも鋭利なナイフ刃を用いることにより、基布の張力を高めなくても樹脂の付着量を低減させることが出来るため、経糸方向及び緯糸方向クリンプ率を均一にすることができる。結果、織物表面におけるシリコーン樹脂の膜厚を厚く制御することができるため、高い通気性能を保持する事が可能になる。なお、ナイフ刃の先端部半径は、ラディアスゲージや、レーザー光を用いた変位測定装置にて測定することができる。
【００３６】  ナイフコーティングにおける織物の長さ方向の張力は、０．１０ｃＮ／ｄｔｅｘ以下が好ましく、特に好ましくは０．０８ｃＮ／ｄｔｅｘである。織物の長さ方向の張力が０．１０ｃＮ／ｄｔｅｘより大きいとコーティング前のベース基布の経クリンプ率が緯クリンプ率より小さく、経クリンプ率が４％以下であり、かつ経緯クリンプ率差を０〜３％に設計したとしても、ナイフ下で圧力負荷時に織物の長さ方向にかかる張力に対する基布の動きが大きくなり、低通気度を維持出来なくなる。
【００３７】  塗布量を決定する条件としてはナイフの押し込み量も影響する。しかし、ナイフの押し込み量を上げ過ぎると、コーティング後の圧力緩和時に基布の動きが大きくなるため、２０ｇ／ｍ２以下の低塗布量では、膜厚を均一に塗布する事が困難となる。
【００３８】  塗布後のコーティング剤を乾燥、硬化させる方法としては、熱風、赤外光、マイクロウェーブなど、一般的な加熱方法を使用することが出来る。加熱温度、時間については、シリコーン樹脂が硬化するのに十分な温度に達していればよく、好ましくは加熱温度が１５０〜２２０℃であり、加熱時間が０．２〜５分である。
【００３９】  織物を構成するフィラメント糸条の総繊度は、２００〜４７０ｄｔｅｘであることが好ましい。総繊度が４７０ｄｔｅｘを超えると、基布の厚さが増大し、エアバッグの収納性が悪化しやすくなする。一方、総繊度が２００ｄｔｅｘ未満では、コーティング基布の引張強力や引裂機械特性などのエアバッグ作動時の機械特性が低下しやすくなる。
【００４０】  基布となる織物のカバーファクターは、１，８００〜２，５００が好ましく、特に好ましくは１，９００〜２，４５０である。カバーファクターが１，８００未満であると、エアバッグとして必要な物理特性（引張強力や引裂強力）が低下する。一方、カバーファクターが２，５００を超える場合には、製織時、並びに収納性による限界がある。なお、カバーファクターＣＦは、下式により算出する。  ＣＦ＝√（経糸の総繊度）×経糸密度＋√（緯糸の総繊度）×緯糸密度  なお、総繊度の単位はｄｔｅｘ、織密度の単位は本／２．５４ｃｍである。
【実施例】
【００４１】  以下、実施例を用いて本発明を具体的に説明するが、本発明は実施例に限定されるものではない。なお、実施例中における各種評価は、下記の方法にしたがって評価した。【００４２】（１）繊度  ＪＩＳ  Ｌ−１０９５  ９．４．１記載の方法で測定した。（２）フィラメント数  フィラメント糸条の断面写真よりフィラメント数を数えた。【００４３】（３）織物の密度  ＪＩＳ  Ｌ−１０９６  ８．６．１記載の方法で測定した。（４）クリンプ率    ＪＩＳ  Ｌ−１０９６  ６．７  Ｂ法記載の方法で測定した。【００４４】（５）シリコーン樹脂膜強伸度    シリコーン樹脂の０．５ｍｍの一様な厚さの膜を作製し、チャック間１０ｍｍにて１０ｍｍ／ｍｉｎの速度で引張試験を行い、破断時の強度及び伸度を測定した。樹脂の乾燥温度、時間は、実際に布帛に塗布し、樹脂を硬化させる際の条件を採用した。【００４５】（６）塗布量  ＪＩＳ  Ｌ  １０９６  ８．４．２記載の方法にしたがって、コーティング基布の質量を測定した。次に、ブランク試料として、樹脂を塗布せずにコーティング時と同じ条件で加工処理を行った後、ＪＩＳ  Ｌ  １０９６  ８．４．２記載の方法にしたがってブランク試料の質量を測定した。その後、コーティング基布の質量とブランク試料の質量との差を塗布量として算出した。なお、塗布量は、１ｍ２あたりの質量（ｇ／ｍ２）で表した。【００４６】（７）通気度  １００ｋＰａ圧力下での通気度を高圧通気度測定機（ＯＥＭシステム（株）製）を用いて測定した。【００４７】（８）コーティング時張力  コーティング時において、所定の張力となるよう、布巻き取り側のローラーのトルクから示される張力を用いて設定した。この値を布幅、経糸の織密度、繊度で割り返した値を用いた。（９）製織時の経糸張力  糸の張力測定装置を用い、織機稼動中に経糸ビームとバックローラーとの中間において、経糸一本当たりに加わる張力を測定した。製織稼動時間１０分間の最大値５点と最小値５点を抽出し平均を取ることで経糸一本当たりの張力とし繊度で割り返した値を用いた。【００４８】（実施例１）  総繊度が４７０ｄｔｅｘ、７２フィラメントのポリアミド６６マルチフィラメント糸を、平織りにてウォータージェットルームにて製織した。次いで、沸水にて収縮加工した後、１１０℃で乾燥仕上げをし、経密度４５本／２．５４ｃｍ、緯密度４７本／２．５４ｃｍ、カバーファクターが１，９９４の織物を得た。この時、経クリンプ率は３．１％、緯クリンプ率は５．６％であった。この織物の片面に、シリコーン樹脂の膜強度が４．８ＭＰａ、膜伸度が３７８％であり、樹脂の粘度が２２Ｐａ・ｓｅｃに調整した無溶剤系シリコーン樹脂を、先端形状が半円状で、先端部半径Ｒが０．３ｍｍのナイフを用い、コーティング時の織物の長さ方向の張力を０．０７ｃＮ／ｄｔｅｘに設定し、フローティングナイフコートにて塗布した。さらに１９０℃で２分間硬化処理し、塗布量を１５ｇ／ｍ２にしたコーティング基布を得た。得られたコーティング基布の特性を評価し、表１に示した。得られた基布は、低塗布量にも関わらず、極めて低い通気度を示した。【００４９】（実施例２）  総繊度が４７０ｄｔｅｘ、１４４フィラメントのポリアミド６６マルチフィラメント糸を、平織りにてウォータージェットルームにて製織した。次いで、沸水にて収縮加工した後、１１０℃で乾燥仕上げをし、経密度４５本／２．５４ｃｍ、緯密度４７本／２．５４ｃｍ、カバーファクターが１，９９４の織物を得た。この時、経クリンプ率は３．９％、緯クリンプ率は４．７％であった。この織物の片面に、実施例１同様のシリコーン樹脂及びコーティング方法、条件にて塗布し、塗布量を１４ｇ／ｍ２にしたコーティング基布を得た。得られたコーティング基布の特性を評価し、表１に示した。得られた基布は、低塗布量にも関わらず、極めて低い通気度を示した。【００５０】（実施例３）  総繊度が４７０ｄｔｅｘ、１４４フィラメントのポリアミド６６マルチフィラメント糸を、平織りにてウォータージェットルームにて製織した。次いで、沸水にて収縮加工した後、１１０℃で乾燥仕上げをし、経密度５０本／２．５４ｃｍ、緯密度５２本／２．５４ｃｍ、カバーファクターが２，２１１の織物を得た。この時、経クリンプ率は３．６％、緯クリンプ率は５．１％であった。この織物の片面に、実施例１同様のシリコーン樹脂を用い、先端形状が半円状で、先端部半径Ｒが０．３ｍｍのナイフを用い、コーティング時の織物の長さ方向の張力を０．０６ｃＮ／ｄｔｅｘに設定し、フローティングナイフコートにて塗布した。さらに１９０℃で２分間硬化処理し、塗布量を１６ｇ／ｍ２にしたコーティング基布を得た。得られたコーティング基布の特性を評価し、表１に示した。得られた基布は、低塗布量にも関わらず、極めて低い通気度を示した。【００５１】（実施例４）  総繊度が３５０ｄｔｅｘ、１０８フィラメントのポリアミド６６マルチフィラメント糸を、平織りにてウォータージェットルームにて製織した。次いで、沸水にて収縮加工した後、１１０℃で乾燥仕上げをし、経密度５４本／２．５４ｃｍ、緯密度５６本／２．５４ｃｍ、カバーファクターが２，０５８の織物を得た。この時、経クリンプ率は３．５％、緯クリンプ率は５．４％であった。この織物の片面に、実施例１同様のシリコーン樹脂を用い、先端形状が半円状で、先端部半径Ｒが０．３ｍｍのナイフを用い、コーティング時の織物の長さ方向の張力を０．０５ｃＮ／ｄｔｅｘに設定し、フローティングナイフコートにて塗布した。さらに１９０℃で２分間硬化処理し、塗布量を１８ｇ／ｍ２にしたコーティング基布を得た。得られたコーティング基布の特性を評価し、表１に示した。得られた基布は、低塗布量にも関わらず、極めて低い通気度を示した。【００５２】（実施例５）  実施例１と同様の織物の片面に、実施例１同様のシリコーン樹脂を用い、先端形状が半円状で、先端部半径Ｒが０．２ｍｍのナイフを用い、コーティング時の織物の長さ方向の張力を０．０８ｃＮ／ｄｔｅｘに設定し、フローティングナイフコートにて塗布した。さらに１９０℃で２分間硬化処理し、塗布量を１０ｇ／ｍ２にしたコーティング基布を得た。得られたコーティング基布の特性を評価し、表１に示した。得られた基布は、低塗布量にも関わらず、極めて低い通気度を示した。【００５３】（比較例１）  総繊度が４７０ｄｔｅｘ、７２フィラメントのポリアミド６６マルチフィラメント糸を、平織りにてウォータージェットル���ムにて製織した。次いで、沸水にて収縮加工した後、１１０℃で乾燥仕上げをし、経密度４６本／２．５４ｃｍ、緯密度４６本／２．５４ｃｍ、カバーファクターが１，９９４の織物を得た。この時、経クリンプ率は５．６％、緯クリンプ率は３．９％であった。この織物の片面に、実施例１同様のシリコーン樹脂を用い、先端形状が半円状で、先端部半径Ｒが０．３ｍｍのナイフを用い、コーティング時の織物の長さ方向の張力を０．０３ｃＮ／ｄｔｅｘに設定し、フローティングナイフコートにて塗布した。さらに１９０℃で２分間硬化処理し、塗布量を２０ｇ／ｍ２にしたコーティング基布を得た。得られたコーティング基布の特性を評価し、表１に示した。得られた基布は、通気性能が極めて悪かった。これは、コート時に生じる基布の動きによりコーティング樹脂が内部まで浸透したため、付着量が２０ｇ／ｍ２を越えると同時に通気度低減のための所定の位置にコーティング皮膜が形成されず、通気度低減が達成されなかったと考えられる。【００５４】（比較例２）  総繊度が４７０ｄｔｅｘ、７２フィラメントのポリアミド６６マルチフィラメント糸を、平織りにてウォータージェットルームにて製織した。次いで、沸水にて収縮加工した後、１１０℃で乾燥仕上げをし、経密度４６本／２．５４ｃｍ、緯密度４６本／２．５４ｃｍ、カバーファクターが１，９９４の織物を得た。この時、経クリンプ率は５．０％、緯クリンプ率は４．２％であった。この織物の片面に、実施例１同様のシリコーン樹脂を用い、先端形状が半円状で、先端部半径Ｒが０．３ｍｍのナイフを用い、コーティング時の織物の長さ方向の張力を０．１２ｃＮ／ｄｔｅｘに設定し、フローティングナイフコートにて塗布した。さらに１９０℃で２分間硬化処理し、塗布量を１２ｇ／ｍ２にしたコーティング基布を得た。得られたコーティング基布の特性を評価し、表１に示した。得られた基布は、通気性能が極めて悪かった。これは、コーティング時に与えた基布のテンションが高く、織物を構成する経緯の糸の動きが生じることにより空隙が生じ、付着量は１２ｇ／ｍ２と低減されたものの通気度低減のための所定の位置にコーティング皮膜が形成されず、通気度低減が達成されなかったと考えられる。【００５５】（比較例３）  総繊度が４７０ｄｔｅｘ、１４４フィラメントのポリアミド６６マルチフィラメント糸を、平織りにてウォータージェットルームにて製織した。次いで、沸水にて収縮加工した後、１１０℃で乾燥仕上げをし、経密度４６本／２．５４ｃｍ、緯密度４７本／２．５４ｃｍ、カバーファクターが２，０１６の織物を得た。この時、経クリンプ率は４．５％、緯クリンプ率は３．５％であった。この織物の片面に、実施例１同様のシリコーン樹脂を用い、先端形状が半円状で、先端部半径Ｒが０．３ｍｍのナイフを用い、コーティング時の織物の長さ方向の張力を０．０７ｃＮ／ｄｔｅｘに設定し、フローティングナイフコートにて塗布した。さらに１９０℃で２分間硬化処理した後の塗布量が２２ｇ／ｍ２であるコーティング基布を得た。得られたコーティング基布の特性を評価し、表１に示した。得られた基布は通気性能が良好であったものの、塗布量２０ｇ／ｍ２以下を達成出来なかった。これは、コート時に生じる基布の動きによりコーティング樹脂が内部まで浸透したため、付着量が２０ｇ／ｍ２を越えると同時に通気度低減のための所定の位置にコーティング皮膜が形成されず、通気度低減が達成されなかったと考えられる。比較例１とでは、基布クリンプ率、コーティングテンション等が本願発明に近い条件であるため、ｄｐｆが低いことによる付着量増大は見られるものの、低通気度が達成されたと考えられる。【００５６】
【表１】
0005994792.tif 000002
【産業上の利用可能性】
【００５７】  本発明のエアバッグ用コート基布は、低塗布量であっても高度な通気性を維持し、軽量で収納性にも優れるエアバッグとして、運転者や助手席の乗員に用いる前面衝突用エアバッグだけでなく、とりわけ内圧保持性能が要求されるサイドエアバッグ、カーテンエアバッグ、ニーエアバッグにも広い範囲で使用することができ、産業上の寄与は大きい。
【符号の説明】
【００５８】  １    接触部分  ２    樹脂
【図１】
0005994792.tif 000003